【手続補正書】
【提出日】平成19年10月10日(2007.10.10)
【手続補正１】
【補正対象書類名】特許請求の範囲
【補正対象項目名】全文
【補正方法】変更
【補正の内容】
【特許請求の範囲】
【請求項１】
送信すべきＮＲＺ（Ｎｏｎ  Ｒｅｔｕｒｎ  Ｚｅｒｏ）データ列をマンチェスタ符号化した信号を受信した受信信号を復調する復調装置であって、
前記ＮＲＺデータ列の組み合わせによって発生間隔の異なる前記受信信号の変化点の発生間隔を測定する変化点発生間隔測定部を備え、
前記変化点の発生間隔が、前記ＮＲＺデータ列の組み合わせによって発生し得る最大の発生間隔であると判定された変化点の検出タイミングを基準として前記受信信号を復調する、復調装置。
【請求項２】
前記復調装置は、前記ＮＲＺデータ列が“１０１”または“０１０”のパターンのときの変化点の検出タイミングを基準として前記受信信号を復調する、請求項１に記載の復調装置。
【請求項３】
前記変化点発生間隔測定部は、
前記受信信号をＮＲＺデータにおける１ビット期間長未満遅延させ、遅延信号として出力する遅延部と、
前記遅延部から出力される前記遅延信号と前記受信信号との差分を減算信号として出力する減算部と、
前記減算信号がしきい値と交差するクロス点を検出するクロス点検出部とを備え、
前記クロス点の発生間隔を測定する、請求項１に記載の復調装置。
【請求項４】
前記変化点発生間隔測定部は、前記クロス点の間隔がＴｂ−α以上Ｔｂ＋β以下（０＜α≦Ｔｂ／８、０＜β≦Ｔｂ：Ｔｂは前記ＮＲＺデータにおける１ビット期間長）となるクロス点を抽出して、抽出したクロス点に同期した同期信号を出力する、請求項３に記載の復調装置。
【請求項５】
さらに、前記変化点発生間隔測定部が出力する前記同期信号の位相に、前記ＮＲＺデータにおけるビットレートと同一のレートを有するクロック信号を同期させて、データクロック信号として出力するクロック再生部と、
前記クロック再生部が出力する前記データクロック信号に従って、前記減算部から出力される前記減算信号の極性を判定し、判定結果をＮＲＺデータとして出力する判定部とを備える、請求項４に記載の復調装置。
【請求項６】
前記遅延部は、前記検波信号を３／２４ビット期間長以上０．５ビット期間長以下遅延させて、前記遅延信号として出力することを特徴とする、請求項５に記載の復調装置。
【請求項７】
前記遅延部は、前記検波信号を０．５ビット期間長以上２１／２４ビット期間長以下遅延させて、前記遅延信号として出力することを特徴とする、請求項５に記載の復調装置。
【請求項８】
前記遅延部は、前記検波信号を０．５ビット期間長遅延させて、前記遅延信号として出力することを特徴とする、請求項５に記載の復調装置。
【請求項９】
前記クロック抽出部は、前記減算部から出力される前記減算信号におけるクロス点の内、クロス点の間隔がＴｂとなるクロス点を抽出して、抽出したクロス点に同期する同期信号を出力することを特徴とする、請求項５に記載の復調装置。
【請求項１０】
さらに、前記遅延部と前記減算部とによって構成されるデータ抽出部の前段または後段に接続されており、入力する信号に含まれる高周波成分を除去するためのローパスフィルタを備えることを特徴とする、請求項５に記載の復調装置。
【請求項１１】
前記ローパスフィルタは、入力する信号を所定の期間積分する積分フィルタであることを特徴とする、請求項１０に記載の復調装置。
【請求項１２】
前記積分フィルタの積分期間は、１ビット期間長未満であることを特徴とする、請求項１１に記載の復調装置。
【請求項１３】
前記積分フィルタの積分期間は、０．５ビット期間長であることを特徴とする、請求項１１に記載の復調装置。
【請求項１４】
ＮＲＺ（Ｎｏｎ  Ｒｅｔｕｒｎ  Ｚｅｒｏ）データをマンチェスタ符号化して得られるデータ列によってＡＳＫ（Ａｍｐｌｉｔｕｄｅ  Ｓｈｉｆｔ  Ｋｅｙｉｎｇ）変調された変調信号を送受信するための無線装置であって、
ＮＲＺデータである送信すべき情報データをフレーム化したフレームデータを生成するフレーム生成部と、
前記フレーム生成部が生成した前記フレームデータをマンチェスタ符号化して、マンチェスタデータとして出力するマンチェスタ符号化部と、
前記マンチェスタ符号化部から出力される前記マンチェスタデータによって搬送波をＡＳＫ変調し、変調信号を出力するＡＳＫ変調部と、
他の無線装置から送信されてくる変調信号を検波して、検波信号を出力する検波部と、
前記検波部から出力された前記検波信号を復調して、ＮＲＺデータとデータクロック信号とを出力するＡＳＫ復調部と、
前記ＡＳＫ復調部から出力される前記ＮＲＺデータおよび前記データクロック信号に基づいて、前記情報データを抽出して出力するフレーム処理部とを備え、
前記フレーム生成部は、ＮＲＺデータのパターンである“１０１”または“０１０”が少なくとも一以上含まれるように、前記フレームデータを生成し、
前記ＡＳＫ復調部は、
前記ＮＲＺデータ列の組み合わせによって発生間隔の異なる前記受信信号の変化点の発生間隔を測定する変化点発生間隔測定部を備え、
前記変化点の発生間隔が、前記ＮＲＺデータ列の組み合わせによって発生し得る最大の発生間隔であると判定された変化点の検出タイミングを基準として前記受信信号を復調することを特徴とする、無線装置。
【請求項１５】
前記ＡＳＫ復調装置は、前記ＮＲＺデータ列が“１０１”または“０１０”のパターンのときの変化点の検出タイミングを基準として前記受信信号を復調する、請求項１４に記載の無線装置。
【請求項１６】
前記変化点発生間隔測定部は、
前記受信信号をＮＲＺデータにおける１ビット期間長未満遅延させ、遅延信号として出力する遅延部と、
前記遅延部から出力される前記遅延信号と前記受信信号との差分を減算信号として出力する減算部と、
前記減算信号がしきい値と交差するクロス点を検出するクロス点検出部とを備え、
前記クロス点の発生間隔を測定する、請求項１４に記載の無線装置。
【請求項１７】
前記変化点発生間隔測定部は、前記クロス点の間隔がＴｂ−α以上Ｔｂ＋β以下（０＜α≦Ｔｂ／８、０＜β≦Ｔｂ：Ｔｂは前記ＮＲＺデータにおける１ビット期間長）となるクロス点を抽出して、抽出したクロス点に同期した同期信号を出力する、請求項１６に記載の無線装置。
【請求項１８】
さらに、前記変化点発生間隔測定部が出力する前記同期信号の位相に、前記ＮＲＺデータにおけるビットレートと同一のレートを有するクロック信号を同期させて、データクロック信号として出力するクロック再生部と、
前記クロック再生部が出力する前記データクロック信号に従って、前記減算部から出力される前記減算信号の極性を判定し、判定結果をＮＲＺデータとして出力する判定部とを備える、請求項１７に記載の無線装置。
【請求項１９】
前記フレーム生成部は、前記フレームデータの先頭に、ＮＲＺデータのパターンである“１０１”または“０１０”が少なくとも一つ以上含まれるように、前記フレームデータを生成することを特徴とする、請求項１８に記載の無線装置。
【請求項２０】
前記フレーム生成部は、前記情報データを複数のブロックに分割して、分割された前記複数のブロックにおける隣接する前記ブロックの間に、ＮＲＺデータのパターンである“１０１”または“０１０”が少なくとも一以上含まれるように、前記フレームデータを生成することを特徴とする、請求項１８に記載の無線装置。
【請求項２１】
前記フレーム生成部は、前記情報データを複数のブロックに分割して、
前記ブロックの最終ビットが“１”の場合には、“０１”から始まるＮＲＺデータのパターンを前記ブロックの直後に挿入し、
前記ブロックの最終ビットが“０”の場合には、“１０”から始まるＮＲＺデータのパターンを前記ブロックの直後に挿入して、前記フレームデータを生成することを特徴とする、請求項１８に記載の無線装置。
【請求項２２】
前記フレーム生成部は、前記情報データを複数のブロックに分割して、
前記ブロックの先頭ビットが“１”の場合には、“１０”で終わるＮＲＺデータのパターンを前記ブロックの直前に挿入し、
前記ブロックの先頭ビットが“０”の場合には、“０１”で終わるＮＲＺデータのパターンを前記ブロックの直前に挿入して、前記フレームデータを生成することを特徴とする、請求項１８に記載の無線装置。
【請求項２３】
前記クロック抽出部は、前記フレームデータに予め挿入されている“１０１”または“０１０”のパターンが受信される期間だけ、前記クロス点を抽出することを特徴とする、請求項１８に記載の無線装置。
【請求項２４】
ＮＲＺ（Ｎｏｎ  Ｒｅｔｕｒｎ  Ｚｅｒｏ）データをマンチェスタ符号化して得られるデータ列によってＡＳＫ（Ａｍｐｌｉｔｕｄｅ  Ｓｈｉｆｔ  Ｋｅｙｉｎｇ）変調された変調信号を送信するための送信装置であって、
ＮＲＺデータである送信すべき情報データをフレーム化したフレームデータを生成するフレーム生成部と、
前記フレーム生成部が生成した前記フレームデータをマンチェスタ符号化して、マンチェスタデータとして出力するマンチェスタ符号化部と、
前記マンチェスタ符号化部から出力される前記マンチェスタデータによって搬送波をＡＳＫ変調し、変調信号を出力するＡＳＫ変調部とを備え、
前記フレーム生成部は、ＮＲＺデータのパターンである“１０１”または“０１０”が少なくとも一つ以上含まれるように、前記フレームデータを生成することを特徴とする、送信装置。
【請求項２５】
“１０１”または“０１０”のパターンを少なくとも一以上含むＮＲＺ（Ｎｏｎ  Ｒｅｔｕｒｎ  Ｚｅｒｏ）データをマンチェスタ符号化して得られるデータ列によってＡＳＫ（Ａｍｐｌｉｔｕｄｅ  Ｓｈｉｆｔ  Ｋｅｙｉｎｇ）変調された変調信号を受信するための受信装置であって、
他の無線装置から送信されてくる前記変調信号を検波して、検波信号を出力する検波部と、
前記検波部から出力された前記検波信号を復調して、ＮＲＺデータとデータクロック信号とを出力するＡＳＫ復調部と、
前記ＡＳＫ復調部から出力される前記ＮＲＺデータおよび前記データクロック信号に基づいて、情報データを抽出して出力するフレーム処理部とを備え、
前記ＡＳＫ復調部は、
前記ＮＲＺデータ列の組み合わせによって発生間隔の異なる前記受信信号の変化点の発生間隔を測定する変化点発生間隔測定部を備え、
前記変化点の発生間隔が、前記ＮＲＺデータ列の組み合わせによって発生し得る最大の発生間隔であると判定された変化点の検出タイミングを基準として前記受信信号を復調することを特徴とする、受信装置。
【請求項２６】
ＮＲＺ（Ｎｏｎ  Ｒｅｔｕｒｎ  Ｚｅｒｏ）データをマンチェスタ符号化して得られるデータ列によってＡＳＫ（Ａｍｐｌｉｔｕｄｅ  Ｓｈｉｆｔ  Ｋｅｙｉｎｇ）変調された変調信号を復調する集積回路であって、
前記ＮＲＺデータ列の組み合わせによって発生間隔の異なる前記受信信号の変化点の発生間隔を測定する変化点発生間隔測定部を備え、
前記変化点の発生間隔が、前記ＮＲＺデータ列の組み合わせによって発生し得る最大の発生間隔であると判定された変化点の検出タイミングを基準として前記受信信号を復調する、集積回路。
【請求項２７】
ＮＲＺ（Ｎｏｎ  Ｒｅｔｕｒｎ  Ｚｅｒｏ）データをマンチェスタ符号化して得られるデータ列によってＡＳＫ（Ａｍｐｌｉｔｕｄｅ  Ｓｈｉｆｔ  Ｋｅｙｉｎｇ）変調された変調信号を送受信するための集積回路であって、
ＮＲＺデータである送信すべき情報データをフレーム化したフレームデータを生成するフレーム生成部と、
前記フレーム生成部が生成した前記フレームデータをマンチェスタ符号化して、マンチェスタデータとして出力するマンチェスタ符号化部と、
前記マンチェスタ符号化部から出力される前記マンチェスタデータによって搬送波をＡＳＫ変調し、変調信号を出力するＡＳＫ変調部と、
他の無線装置から送信されてくる変調信号を検波して、検波信号を出力する検波部と、
前記検波部から出力された前記検波信号を復調して、ＮＲＺデータとデータクロック信号とを出力するＡＳＫ復調部と、
前記ＡＳＫ復調部から出力される前記ＮＲＺデータおよび前記データクロック信号に基づいて、前記情報データを抽出して出力するフレーム処理部とを備え、
前記フレーム生成部は、ＮＲＺデータのパターンである“１０１”または“０１０”が少なくとも一つ以上含まれるように、前記フレームデータを生成し、
前記ＡＳＫ復調部は、
前記ＮＲＺデータ列の組み合わせによって発生間隔の異なる前記受信信号の変化点の発生間隔を測定する変化点発生間隔測定部を備え、
前記変化点の発生間隔が、前記ＮＲＺデータ列の組み合わせによって発生し得る最大の発生間隔であると判定された変化点の検出タイミングを基準として前記受信信号を復調することを特徴とする、集積回路。
【手続補正２】
【補正対象書類名】明細書
【補正対象項目名】０００８
【補正方法】変更
【補正の内容】
【０００８】
図２８は、特許文献１に開示されている従来のＡＳＫ復調装置９０の構成を示すブロック図である。図２８において、従来のＡＳＫ復調装置９０は、極値検出部９１と、移動平均部９２と、平均部９３と、２値化演算部９４とを備える。以下、マンチェスタ符号化されたデータ列によってＡＳＫ変調された変調信号を復調する場合のＡＳＫ復調装置の動作について説明する。同期検波、または非同期検波等の方法によって、マンチェスタ符号化されたデータ列によってＡＳＫ変調された変調信号を検波して得られる検波信号は、ＡＳＫ復調装置９０に入力される。検波信号と大小比較するためのしきい値は、極値検出部９１と、移動平均部９２と、平均部９３とによって算出される。極値検出部９１は、入力された検波信号の内、複数の所定の期間において、極小値と極大値とを検出し、移動平均部９２に入力する。移動平均部９２は、複数の所定の期間における複数の極小値、および、極大値をそれぞれ平均して、平均部９３に入力する。平均部９３は、移動平均部９２から入力された極小値の移動平均値、および、移動平均部９２から入力された極大値の移動平均値に基づいて、平均値を求め、２値化演算部９４に入力する。２値化演算部９４は、検波信号と、平均部９３から出力されるしきい値とを大小比較して、マンチェスタ符号化されたデータ列であるマンチェスタデータを出力する。マンチェスタデータは、“０”、または、“１”の値を持つ２値の信号であり、後続のマンチェスタ復号部（図示せず）へ入力される。マンチェスタ復号部は、マンチェスタデータの変化点を検出してクロック再生を行うとともに、マンチェスタ符号を復号化して、ＮＲＺ符号化されたデータ列であるＮＲＺデータと、ＮＲＺデータに同期したクロック信号であるデータクロック信号とを出力する。このようにして、検波信号が復調される。
【手続補正３】
【補正対象書類名】明細書
【補正対象項目名】００１５
【補正方法】変更
【補正の内容】
【００１５】
上記課題を解決するために、本発明は、以下のような特徴を有する。本発明は、送信すべきＮＲＺ（Ｎｏｎ  Ｒｅｔｕｒｎ  Ｚｅｒｏ）データ列をマンチェスタ符号化した信号を受信した受信信号を復調する復調装置であって、ＮＲＺデータ列の組み合わせによって発生間隔の異なる受信信号の変化点の発生間隔を測定する変化点発生間隔測定部を備え、変化点の発生間隔が、ＮＲＺデータ列の組み合わせによって発生し得る最大の発生間隔であると判定された変化点の検出タイミングを基準として受信信号を復調する。
好ましくは、復調装置は、ＮＲＺデータ列が“１０１”または“０１０”のパターンのときの変化点の検出タイミングを基準として受信信号を復調する。
好ましくは、変化点発生間隔測定部は、受信信号をＮＲＺデータにおける１ビット期間長未満遅延させ、遅延信号として出力する遅延部と、遅延部から出力される遅延信号と受信信号との差分を減算信号として出力する減算部と、減算信号がしきい値と交差するクロス点を検出するクロス点検出部とを備え、クロス点の発生間隔を測定する。
好ましくは、変化点発生間隔測定部は、クロス点の間隔がＴｂ−α以上Ｔｂ＋β以下（０＜α≦Ｔｂ／８、０＜β≦Ｔｂ：ＴｂはＮＲＺデータにおける１ビット期間長）となるクロス点を抽出して、抽出したクロス点に同期した同期信号を出力する。
好ましくは、復調装置は、さらに、変化点発生間隔測定部が出力する同期信号の位相に、ＮＲＺデータにおけるビットレートと同一のレートを有するクロック信号を同期させて、データクロック信号として出力するクロック再生部と、クロック再生部が出力するデータクロック信号に従って、減算部から出力される減算信号の極性を判定し、判定結果をＮＲＺデータとして出力する判定部とを備える。
【手続補正４】
【補正対象書類名】明細書
【補正対象項目名】００２４
【補正方法】変更
【補正の内容】
【００２４】
また、本発明は、ＮＲＺデータをマンチェスタ符号化して得られるデータ列によってＡＳＫ変調された変調信号を送受信するための無線装置であって、ＮＲＺデータである送信すべき情報データをフレーム化したフレームデータを生成するフレーム生成部と、フレーム生成部が生成したフレームデータをマンチェスタ符号化して、マンチェスタデータとして出力するマンチェスタ符号化部と、マンチェスタ符号化部から出力されるマンチェスタデータによって搬送波をＡＳＫ変調し、変調信号を出力するＡＳＫ変調部と、他の無線装置から送信されてくる変調信号を検波して、検波信号を出力する検波部と、検波部から出力された検波信号を復調して、ＮＲＺデータとデータクロック信号とを出力するＡＳＫ復調部と、ＡＳＫ復調部から出力されるＮＲＺデータおよびデータクロック信号に基づいて、情報データを抽出して出力するフレーム処理部とを備え、フレーム生成部は、ＮＲＺデータのパターンである“１０１”または“０１０”が少なくとも一以上含まれるように、フレームデータを生成し、ＡＳＫ復調部は、ＮＲＺデータ列の組み合わせによって発生間隔の異なる受信信号の変化点の発生間隔を測定する変化点発生間隔測定部を備え、変化点の発生間隔が、ＮＲＺデータ列の組み合わせによって発生し得る最大の発生間隔であると判定された変化点の検出タイミングを基準として受信信号を復調する。
好ましくは、ＡＳＫ復調装置は、ＮＲＺデータ列が“１０１”または“０１０”のパターンのときの変化点の検出タイミングを基準として受信信号を復調する。
好ましくは、変化点発生間隔測定部は、受信信号をＮＲＺデータにおける１ビット期間長未満遅延させ、遅延信号として出力する遅延部と、遅延部から出力される遅延信号と受信信号との差分を減算信号として出力する減算部と、減算信号がしきい値と交差するクロス点を検出するクロス点検出部とを備え、クロス点の発生間隔を測定する。
好ましくは、変化点発生間隔測定部は、クロス点の間隔がＴｂ−α以上Ｔｂ＋β以下（０＜α≦Ｔｂ／８、０＜β≦Ｔｂ：ＴｂはＮＲＺデータにおける１ビット期間長）となるクロス点を抽出して、抽出したクロス点に同期した同期信号を出力する。
好ましくは、無線装置は、さらに、変化点発生間隔測定部が出力する同期信号の位相に、ＮＲＺデータにおけるビットレートと同一のレートを有するクロック信号を同期させて、データクロック信号として出力するクロック再生部と、クロック再生部が出力するデータクロック信号に従って、減算部から出力される減算信号の極性を判定し、判定結果をＮＲＺデータとして出力する判定部とを備える。
【手続補正５】
【補正対象書類名】明細書
【補正対象項目名】００３１
【補正方法】変更
【補正の内容】
【００３１】
また、本発明は、“１０１”または“０１０”のパターンを少なくとも一以上含むＮＲＺデータをマンチェスタ符号化して得られるデータ列によってＡＳＫ変調された変調信号を受信するための受信装置であって、他の無線装置から送信されてくる変調信号を検波して、検波信号を出力する検波部と、検波部から出力された検波信号を復調して、ＮＲＺデータとデータクロック信号とを出力するＡＳＫ復調部と、ＡＳＫ復調部から出力されるＮＲＺデータおよびデータクロック信号に基づいて、情報データを抽出して出力するフレーム処理部とを備え、ＡＳＫ復調部は、ＮＲＺデータ列の組み合わせによって発生間隔の異なる受信信号の変化点の発生間隔を測定する変化点発生間隔測定部を備え、変化点の発生間隔が、ＮＲＺデータ列の組み合わせによって発生し得る最大の発生間隔であると判定された変化点の検出タイミングを基準として受信信号を復調する。
【手続補正６】
【補正対象書類名】明細書
【補正対象項目名】００３２
【補正方法】変更
【補正の内容】
【００３２】
また、本発明は、ＮＲＺデータをマンチェスタ符号化して得られるデータ列によってＡＳＫ変調された変調信号を復調する集積回路であって、ＮＲＺデータ列の組み合わせによって発生間隔の異なる受信信号の変化点の発生間隔を測定する変化点発生間隔測定部を備え、変化点の発生間隔が、ＮＲＺデータ列の組み合わせによって発生し得る最大の発生間隔であると判定された変化点の検出タイミングを基準として受信信号を復調する。
【手続補正７】
【補正対象書類名】明細書
【補正対象項目名】００３３
【補正方法】変更
【補正の内容】
【００３３】
また、本発明は、ＮＲＺデータをマンチェスタ符号化して得られるデータ列によってＡＳＫ変調された変調信号を送受信するための集積回路であって、ＮＲＺデータである送信すべき情報データをフレーム化したフレームデータを生成するフレーム生成部と、フレーム生成部が生成したフレームデータをマンチェスタ符号化して、マンチェスタデータとして出力するマンチェスタ符号化部と、マンチェスタ符号化部から出力されるマンチェスタデータによって搬送波をＡＳＫ変調し、変調信号を出力するＡＳＫ変調部と、他の無線装置から送信されてくる変調信号を検波して、検波信号を出力する検波部と、検波部から出力された検波信号を復調して、ＮＲＺデータとデータクロック信号とを出力するＡＳＫ復調部と、ＡＳＫ復調部から出力されるＮＲＺデータおよびデータクロック信号に基づいて、情報データを抽出して出力するフレーム処理部とを備え、フレーム生成部は、ＮＲＺデータのパターンである“１０１”または“０１０”が少なくとも一つ以上含まれるように、フレームデータを生成し、ＡＳＫ復調部は、ＮＲＺデータ列の組み合わせによって発生間隔の異なる受信信号の変化点の発生間隔を測定する変化点発生間隔測定部を備え、変化点の発生間隔が、ＮＲＺデータ列の組み合わせによって発生し得る最大の発生間隔であると判定された変化点の検出タイミングを基準として受信信号を復調する。